(57)【要約】【課題】回転式ハンドルと開閉バルブ間の距離にばらつきが生じても、その誤差を吸収でき開閉バルブの作動が円滑に行えるようにすることを目的とする。【解決手段】便器洗浄水を供給する流路と、流路の途中に備えられ便器内に収納された開閉弁と、開閉弁の開閉を制御する弁開閉手段と、便器本体に回転可能に固定された回転式ハンドルと、回転式ハンドルと弁開閉手段とを連結するワイヤー式の回転トルク伝達手段とを備えた便器給水装置であって、ワイヤー式の回転トルク伝達手段に、回転式ハンドルと弁開閉手段との距離の変動を吸収する調節手段を備えている。【選択図】図７
2004332324.tif 000002
【特許請求の範囲】
【請求項１】
便器洗浄水を供給する流路と、該流路の途中に備えられ便器内に収納された開閉弁と、該開閉弁の開閉を制御する弁開閉手段と、便器本体に回転可能に固定された回転式ハンドルと、該回転式ハンドルと前記弁開閉手段とを連結するワイヤー式の回転トルク伝達手段とを備えた便器給水装置であって、前記回転トルク伝達手段に、前記回転式ハンドルと弁開閉手段との距離の変動を吸収する調節手段を備えていることを特徴とする便器給水装置。
【請求項２】
前記調節手段は、ピストンと、該ピストンをガイドするシリンダーと該シリンダ−内に組み込まれたバネと、前記ピストンの位置を固定するストッパー手段からなることを特徴とする請求項１記載の便器給水装置。
【発明の詳細な説明】
【０００１】
【発明の属する技術分野】
本発明は、遠隔手動操作により開閉弁を開閉制御し便器洗浄水を供給する便器給水装置に関する。
【０００２】
【従来の技術】
従来、遠隔部位に位置した回転式ハンドルを回転してこのハンドルに連結したワイヤー式の回転トルク伝達手段を回転させて、開閉弁を駆動するものがある。
【０００３】
【特許文献１】
特開平１１−３２４０６１号公報
【０００４】
【発明が解決しようとする課題】
しかしながら従来の便器給水装置においては、便器本体に固定された回転式ハンドルと開閉バルブとの間に寸法誤差が生じる場合があり、回転式ハンドルと開閉バルブ間の距離が長くなった場合は、回転トルク伝達手段の先端が開閉バルブに届かず開閉バルブが作動しない。これを避けるため回転トルク伝達手段を長めにしているが、回転トルク伝達手段が長すぎると回転トルク伝達手段が弛み、回転式ハンドルの回転がこの弛みで吸収されて回転力が開閉バルブに伝わらず、開閉バルブの開閉作動が円滑に行えない。
そこで、本発明では上記の問題点を解決するため、回転式ハンドルと開閉バルブ間の距離にばらつきが生じても、その誤差を吸収でき開閉バルブの作動が円滑に行えるようにすることを目的とする。
【０００５】
【課題を解決するための手段】
上記課題を解決するために本発明便器給水装置では、便器洗浄水を供給する流路と、該流路の途中に備えられ便器内に収納された開閉弁と、該開閉弁の開閉を制御する弁開閉手段と、便器本体に回転可能に固定された回転式ハンドルと、該回転式ハンドルと前記弁開閉手段とを連結するワイヤー式の回転トルク伝達手段とを備えた便器給水装置であって、前記ワイヤー式の回転トルク伝達手段に、前記回転式ハンドルと弁開閉手段との距離の変動を吸収する調節手段を備えていることを特徴としている。
【０００６】
このように調整手段を備えることにより、回転式ハンドルと弁開閉手段までの距離のばらつきを吸収できるようになり、回転式ワイヤー長さを必要以上に長くしなくて済み、ワイヤーの捩じれ角度も小さくなって、回転式ハンドルの位置も安定する。
【０００７】
前記調節手段は、ピストンと、該ピストンをガイドするシリンダーと該シリンダ−内に組み込まれたバネと、前記ピストンの位置を固定するストッパー手段とを備えれば、ストッパーネジを外すとバネの付勢力によりピストンが飛び出して必要な長さにセットし、その後ストッパーネジを固定すればよく、施工性やメンテ性が格段と向上するので好ましい。
【０００８】
【発明の実施の形態】
以下に図面を参照して本発明をより具体的に説明すると、図１は本発明の便器給水装置を搭載した水洗便器の外観図、図２は本発明の便器給水装置の構成図、図３は本発明のバルブユニットの断面図、図４は本発明のカムシャフト部の要部を示す断面図、図５は本発明の回転式ハンドルの外観図、図６は本発明の回転式ハンドルの断面図、図７は本発明のワイヤー式の回転トルク伝達手段の断面図、図８は本発明の回転式ワイヤーの構成図、図９は本発明のワイヤー式の回転トルク伝達手段の伝達トルク〜ねじれ角度／単位長さのグラフ、図１０は本発明のカムシャフト回転角度〜ハンドル操作角度のグラフ、図１１は調節手段の他の実施例である。
【０００９】
図１において、水洗便器Ｗの便器本体１後方側面には回転式のハンドルＨが取り付けられ、便器本体１後方の内部空間２には水道管等の１次側給水路３に連絡するバルブユニットＶが収納されており、回転式ハンドルＨとバルブユニットＶ間はワイヤー式の回転トルク伝達手段Ｔで繋がっている。
【００１０】
図２に示すように、１次側給水路３から供給された洗浄水は、給水圧力の変動に応じて開度を自動調整し流量を略１定に保つ定流量弁４を経由して便器本体１のリム流路５、ジェット流路６に供給される。リム流路５、ジェット流路６には、それぞれ第１開閉弁７と第２開閉弁８を備えており、この第１開閉弁７、第２開閉弁８を開閉することにより、洗浄水をリム流路５及びジェット流路６へ供給するようになっている。
【００１１】
便器本体１後部の内部空間２に収納されたバルブユニットＶは、これら定流量弁４、第１開閉弁７、第２開閉弁８、弁開閉手段９が内蔵されている。
【００１２】
バルブユニットＶは、図３に示すように、定流量弁４を備えた入水路１０と、リム流路５へ洗浄水を供給する第１開閉弁７と、ジェット流路６へ洗浄水を供給する第２開閉弁８と、第１開閉弁７と第２開閉弁８の開閉を制御する弁開閉手段９とを備えている。
【００１３】
第１開閉弁７は、第１ダイヤフラム１１で入水路１０と区画されると共にブリード穴１２を通じて入水路１０と連通した第１圧力室１３と、第１圧力室１３の圧力により第１ダイヤフラム１１と密着しリム流路５を閉じる第１弁座１４と、第１圧力室１３の水を合流室Ｒに逃がす第１パイロット弁１５を備えている。
【００１４】
第１パイロット弁１５は、下面にパッキン１６を密着状に装着したピストン部１７と合流室Ｒに伸びる軸部１８とを備えた第１パイロット弁体１９と、第１パイロット弁座２０と、パッキン１６が第１パイロット弁座２０に密着する方向に第１パイロット弁体１９を付勢するバネ２１とを備え、第１圧力室１３は通孔２２、ピストン部１７とピストンガイドとの隙間、第１パイロット弁座２０穴を経由して合流室Ｒに連通連絡している。
【００１５】
第２開閉弁８も第１開閉弁７と同様な構成であり、第２ダイヤフラム２３で入水路１０と区画されると共にブリード穴２４を通じて入水路１０と連通した第２圧力室２５と、第２圧力室２５の圧力により第２ダイヤフラム２３と密着しジェット流路６を閉じる第２弁座２６と、第２圧力室２５の水を合流室Ｒに逃がす第２パイロット弁２７を備えている。
【００１６】
第２パイロット弁２７は、図３、図４に示すように、下面にパッキン２８を密着状に装着したピストン部２９と合流室Ｒに伸びる軸部３０とを備えた第２パイロット弁体３１と、第２パイロット弁座３２と、パッキン２８が第２パイロット弁座３２に密着する方向に第２パイロット弁体３１を付勢するバネ３３とを備え、第２圧力室２５は通孔３４、ピストン部２９とピストンガイド３５との隙間３６、第２パイロット弁座３２穴を経由して合流室Ｒに連通連絡している。
【００１７】
合流室Ｒは通路３７を介して第１開閉弁７より下流のリム流路５と連通すると共に、この合流室Ｒには第１パイロット弁体１９の軸部１８と対向する第１カム３８と、第２パイロット弁体３１の軸部３０と対向する第２カム３９とを備えたカムシャフト４０が収納水没されている。
【００１８】
また、カムシャフト４０には、一端が合流室Ｒから大気内に水密状に突出した連結軸部４１が接続されている。
【００１９】
そして、図４に示す位置からカムシャフト４０を反時計回り方向に回転させると第１カム３８と第２カム３９も反時計回り方向に回転するが、第１カム３８だけが第１パイロット弁体１９の軸部１８に当接押圧して第１パイロット弁体１９のみが水圧による力とバネ２１の付勢力に逆らって押し上げられ、ピストン部１７下面のパッキン１６が第１パイロット弁座２０から離れることにより第１パイロット弁１５が開弁し、カムシャフト４０を図４の位置に戻すと軸部１８が第１カム３８から離れ、第１パイロット弁体１９への押圧力が解除され、水圧による力とバネ２１による力によりパッキン１６が第１パイロット弁座２０に密着し、第１パイロット弁１５が閉弁する様に構成されている。
【００２０】
同様に、図４に示す位置からカムシャフト４０を時計回り方向に回転させると第１カム３８と第２カム３９も時計回り方向に回転するが、第２カム３９だけが第２パイロット弁体３１の軸部３０に当接押圧して第２パイロット弁体３１のみが水圧による力とバネ３３の付勢力に逆らって押し上げられ、ピストン部２９下面のパッキン２８が第２パイロット弁座３２から離れることにより第２パイロット弁２７が開弁し、カムシャフト４０を図４の位置に戻すと軸部３０が第２カム３９から離れ、第２パイロット弁体３１への押圧力が解除され、水圧による力とバネ３３による力によりパッキン２８が第２パイロット弁座３２に密着し、第２パイロット弁２７が閉弁する様に構成されている。
【００２１】
そして、第１パイロット弁１が開弁すると、第１圧力室１６の圧力がリム流路６とほぼ同じ圧力まで低下し、第１ダイヤフラム１１に加わる圧力バランスが崩れ、第１ダイヤフラム１１が第１弁座１４から離れリム流路５が開弁し、この状態から第１パイロット弁１５が閉弁すると、洗浄水は入水路１０からブリード穴１２を通って第１圧力室１３に流れ込み、第１圧力室１３の圧力が入水路１０の圧力とほぼ同じとなり、第１ダイヤフラム１１が第１弁座１４に密着して第１開閉弁７が閉弁し、リム流路５を閉じる。
【００２２】
同様に、第２パイロット弁２７が開弁すると、第２圧力室２５の圧力がジェット流路６とほぼ同じ圧力まで低下し、第２ダイヤフラム２３に加わる圧力バランスが崩れ、第２ダイヤフラム２３が第２弁座２６から離れジェット流路６が開弁し、この状態から第２パイロット弁２７が閉弁すると洗浄水は入水路１０からブリード穴２４を通って第２圧力室２５に流れ込み、第２圧力室２５の圧力が入水路１０の圧力とほぼ同じとなり、第２ダイヤフラム２３が第２弁座２６に密着して第２開閉弁８が閉弁し、ジェット流路６を閉じる。
【００２３】
従って、カムシャフト４０、第１カム３８、第２カム３９、第１パイロット弁１５、第２パイロット弁２７は第１開閉弁７、第２開閉弁８の開閉を制御する弁開閉手段９を構成している。
【００２４】
尚、第１パイロット弁１５、第２パイロット弁２７から排出される水を、合流室Ｒ、通路３７を介してリム流路５へ導き便器本体１のボウルＢ内へ排出させ、便器洗浄水として利用し、水洗便器Ｗの節水化を図っている。
【００２５】
水洗便器Ｗの便器本体１後方側面に設けられる回転式のハンドルＨは、図５に示すように、そのハンドル本体４２は正面から見たときレバー部４３を有する円盤形状を呈し、図６に示すようにそのハンドル軸４４が、便器本体１に開設した穴４５を挿通して取り付けられた筒状のハンドルガイド４６のガイド孔４７を貫通し、ハンドルガイド４６に回転自在に保持されている。
【００２６】
ハンドルガイド４６は外周面にネジ４８を有し、一端には鍔部４９が形成され、他端の一部は円筒部分の一部を切り欠いてストッパー部５０が形成されており、このハンドルガイド４６は鍔部４９とネジ４８に螺合した固定ナット５１でもって便器本体１を挟み込むことにより便器本体１に取り付け固定されている。
【００２７】
ハンドル軸４４一端にはスプライン孔５２が開設されると共に外周面の一部には突起５３が設けられ、この突起５３がストッパー部５０に当接することによりハンドル軸４４の回転範囲が規制されている。
【００２８】
尚、ハンドルガイド４６の鍔部４９と便器本体１、固定ナット５１と便器本体１との間には、夫々緩衝材５４、５５が配設されており、便器本体１表面の凹凸を吸収してハンドルガイド４６のがたつきを無くし、併せて便器本体１の過負荷が加わって破損することを防止している。
【００２９】
回転トルク伝達手段Ｔは、図７に示すように回転式ワイヤー５６と、この回転式ワイヤー５６の両端に連結軸部４１に係合する第１軸部５７と、回転式ハンドルＨに係合する第２軸部５８とを備え、回転式ハンドルＨの回転操作量を直接カムシャフト４０に伝達している。
【００３０】
回転式ワイヤー５６は、回転操作量を伝達できるように、図８に示すように１５本のピアノ線等の硬質線材５９、及び６本の軟質線材６０の、合計２１本の線材を撚り合わせて巻回しており、回転式ワイヤー５６の外側は樹脂製の保護チューブ６１が外装されている。
【００３１】
第１軸部５７は、保護チューブ６１の端面を隠蔽する化粧部６２と、回転式ワイヤー５６をかしめて第１軸部５７に固定するかしめ部６３と、カムシャフト４０の連結軸部４１に係合する第１係合部６４とを備えている。
【００３２】
第１係合部６４は、一部を面取りしたＤカット断面の第１ピストン６５と、この第１ピストン６５をガイドするＤカット穴形状の第１シリンダー６６と、第１シリンダー６６内に組み込まれたバネ６７と、第１ピストン６５の位置を固定するストッパーネジ６８とを備えており、第１ピストン６５を第１シリンダー６６内に係合状態で嵌合するストロークの範囲内で移動可能となし、これら第１ピストン６５や第１シリンダー６６により、第１の調節手段Ｃを第１軸部５７側に設けている。
【００３３】
そして連結軸部４１には、図示はしていないがＤカット穴を開設しており、このＤカット穴に第１ピストン６５先端が嵌入係合する。
【００３４】
同様に、第２軸部５８も樹脂製の保護チューブ６１の端部を隠蔽する化粧部６９と、回転式ワイヤー５６をかしめて第２軸部５８に固定するかしめ部７０と、回転式ハンドルＨのハンドル軸４４に係合する第２係合部７１とを備えている。
【００３５】
第２係合部７１は、一端は外周面にスプライン加工が施されたスプライン軸部７２と他端は円筒形状の第２ピストン７３とを有するスピンドル軸７４と、第２ピストン７３をガイドする筒状の第２シリンダー７５と、第２シリンダー７５に組み込まれたバネ７６と、第２ピストン７３の位置を調整すると共に円筒状の第２ピストン７３と第２シリンダー７５が回転しないように固定するストッパーネジ７７とを備え、第１軸部５７と同様、第２ピストン７３が第２シリンダー７５で嵌合するストローク内でスピンドル軸７４を移動可能にし、これら第２ピストン７３や第２シリンダー７５で第２の調節手段Ｄを第２軸部５８に設けている。
【００３６】
そして、カムシャフト４０が図４に示す位置にあるとき、連結軸部３８のＤカット穴に第１軸部５７の第１ピストン６５先端を嵌入係合し、次いで回転式ハンドルＨのレバー部４３が図５に示す止め位置を指した状態で、回転式ワイヤー５６が捩じれないように、回転式ハンドルＨのハンドル軸４４のスプライン孔５２に第２軸部５８のスプライン軸部７２を挿入係合し、次いでネジ７８でスピンドル軸７４とハンドル軸４４とを取り付け固定する。
【００３７】
回転式ハンドルＨ取付穴位置のばらつき、バルブユニット１３固定穴位置のばらつき、ハンドルＨ固定穴付近の平面度のばらつき等によって生じる回転式ハンドルＨと弁開閉手段９との距離のばらつきが生じた場合は、回転トルク伝達手段Ｔの両端に設けた第１の調節手段Ｃや第２の調節手段Ｄによって、その距離のばらつきを吸収する。
【００３８】
バルブユニットＶ側で距離のばらつきを吸収するには、第１軸部５７側に設けた第１の調節手段Ｃを利用して、第１ピストン６５を第１シリンダー６６内で移動させて調節、距離のばらつきを吸収し、その後、第１ピストン６５と第１シリンダー６６とをストッパーネジ６８で固定する。
【００３９】
回転式ハンドルＨ側で距離のばらつきを吸収するには、第２軸部５８側に設けた第２の調節手段Ｄを利用して、第２ピストン７３を第２シリンダー７５内で移動させて調節、距離のばらつきを吸収し、その後、第２ピストン７３と第２シリンダー７５とをストッパーネジ７７で固定する。
【００４０】
尚、本実施例では、調節手段Ｃ、Ｄの夫々にはシリンダー６６、７５内にバネ６７、７６を組み込んでいるので、ストッパーネジ６８、７７を外すとバネの付勢力によりピストン６５、７３が飛び出して、その後ストッパーネジ６８、７７を固定すれば簡単に調節でき、施工性やメンテ性が格段と向上する。
【００４１】
又、回転トルク伝達手段Ｔの両端に第１の調節手段Ｃや第２の調節手段Ｄを設けているので、調節しやすい側を選択して距離のばらつき吸収を行うことが出来る。
【００４２】
更に、第２ピストン７３を円筒状にして筒状の第２シリンダー７５内で周方向に回転可能にしているので、ハンドルＨのハンドル軸４４とスピンドル軸７４とをネジ７８で固定した後で、第２ピストン７３を第２シリンダー７５内で周方向に回転して回転式ワイヤー５６の捩じれを吸収し、その後、第２ピストン７３と第２シリンダー７５とをストッパーネジ７７で固定することも可能である。
【００４３】
而して、ハンドルＨを図５の止めの位置から矢印方向に９０度回転させると、回転トルク伝達手段Ｔ、カムシャフト４０を介して、第１開閉弁７が開弁し、リム流路５に便器洗浄水が供給される。ハンドルＨを図５の矢印と反対方向に９０度回転させると、回転トルク伝達手段Ｔ、カムシャフト４０を介して、第２開閉弁８が開弁し、ジャット流路６に便器洗浄水が供給される。図５の止め位置から±略３０度付近は、第１カム３８、第２カム３９が第１パイロット弁体１９、第２パイロット弁体３１と接触せず、第１開閉弁７、第２開閉弁８とも開弁せず、便器洗浄水の供給が停止する。
【００４４】
このように、カムシャフト４０を用いて第１開閉弁７、第２開閉弁８を開閉する構成を採ることにより、ハンドルＨの回転操作により２流路への切替供給が可能となり、リム流路５やジェット流路６を備えた水洗便器に対応できる。
【００４５】
又、第１カム３８、第２カム３９の形状を変更することにより、回転式ハンドルＨの回転角度に応じた第１開閉弁７と第２開閉弁８の開閉タイミングや開閉に要する回転操作力を自由に設定できる。
【００４６】
尚、回転式ワイヤー５６は、軸心に対して回転する方向にワイヤーを捩らせて使用しており、伝達トルクが大きくなると共に捩じれ角度／単位長さは大きくなる。又、ワイヤーの長さを長くすると共に捩じれ角度も大きくなる。ワイヤーの捩じれ角度が大きくなると、図８に示すように、ハンドルＨ操作の回転角度とカムシャフト４０の回転角度のヒステリシスが大きくなり、ハンドルＨから手を離すとハンドルＨがワイヤーの反力により戻され、ハンドルＨの洗浄位置が定まらないことがある。
【００４７】
従って、第１開閉弁７、第２開閉弁８を開弁するための回転トルクが大きい場合や、ハンドルＨとカムシャフト４０との距離のばらつきを吸収させるために回転式ワイヤー５６長さを長くして、ワイヤー５６に余裕を持たせると、必然的に捩じれ角度が大きくなってしまう。
【００４８】
本実施例では、第１開閉弁７、第２開閉弁８共にパイロット作動式なので開弁に必要な操作エネルギーが小さく、第１開閉弁７、第２開閉弁８を開弁するための回転トルクは小さくて済むので、ワイヤー５６の捩じれ角度も小さくなり、ハンドルＨ位置も安定する。勿論、ハンドルＨを回転操作する力も小さくて済み、お年寄りや子供など力が弱い人でも操作できる。
【００４９】
併せて、回転トルク伝達手段Ｔの両端に第１の調節手段Ｃや第２の調節手段Ｄを設けているので、回転式ワイヤー５６長さを必要以上に長くしなくて済み、ワイヤーの捩じれ角度も小さくなって、ハンドルＨ位置も安定する。
【００５０】
本発明は上述の実施例に限定されること無く種々の変形が可能であり、例えば調節手段として図１１に示すねじ構造を用いても良い。
【００５１】
この実施例では、回転式ワイヤー５６を中途で分割し、それぞれのワイヤー５６切断端部に、先端部に雄ねじ７９を有し基端部側にかしめ部８０を有するねじ軸８１を固定している。そして、このねじ軸８１を、内部に雌ねじ８２を刻設した長い長さの調節軸８３の雌ねじ８２に捻じ込み、この捻じ込み長さを調節することにより距離のばらつきを吸収する。８４はねじ軸８１が調節軸８３に対し緩み防止を図るロックナットである。従って、この実施例では、ねじ軸８１、調節軸８３、ロックナット８４で調節手段Ｅを構成している。
【００５２】
尚、２つのねじ軸８１の、一方の雄ねじと他方の雄ねじを逆ネジにし、調節軸８３の雌ねじも中間部分で逆ネジにしたターンバックル構造を採用しても良く、このようにすれば調節軸８３を回転するだけでワイヤー５６を捩ること無く距離の調節が行える。
【００５３】
また、ワイヤー５６の一端に、雌ねじを設けた雌ねじ軸を一体にかしめ固定し、ワイヤー５６の他端に雄ねじを設けた雄ねじ軸を一体にかしめ固定して調節手段を構成し、両軸のねじ同志の捻じ込み長さによって距離のばらつきを吸収させても良い。
【００５４】
更に、ピストン部に周面から中心軸に向かう貫通孔を少なくとも一つ設け、シリンダー部には同様の貫通孔を軸方向に多数設け、ピンをシリンダー部からピストン部の貫通孔を差込み両者を固定する構造で調節手段を構成し、軸方向に設けた貫通孔を選択することにより、距離のばらつきを吸収させても良い。ピストン部に多数の貫通孔を設け、シリンダー部に少なくとも一つの貫通孔を設けても良い。
【００５５】
更にまた、貫通孔を利用した調節手段はカムシャフトの連結軸部に設けることも出来る。
【００５６】
上述の実施例では、洗浄水をリム流路、ジェット流路の２つに分けた水洗便器Ｗに適用しているが、弁開閉手段によって同じタイミングでリム流路とジェット流路に給水する方式の水洗便器や、小便器などにも展開できる。
【００５７】
以上説明したように、本発明は、便器洗浄水を供給する流路と、流路の途中に備えられ便器内に収納された開閉弁と、開閉弁の開閉を制御する弁開閉手段と、便器本体に回転可能に固定された回転式ハンドルと、回転式ハンドルと弁開閉手段とを連結するワイヤー式の回転トルク伝達手段とを備えた便器給水装置であって、ワイヤー式の回転トルク伝達手段に、回転式ハンドルと弁開閉手段との距離の変動を吸収する調節手段を備えているので、回転式ハンドルと弁開閉手段までの距離のばらつきを吸収できるようになり、回転式ワイヤー長さを必要以上に長くしなくて済み、ワイヤーの捩じれ角度も小さくなって、回転式ハンドルの位置も安定する。
【図面の簡単な説明】
【図１】本発明の便器給水装置を搭載した水洗便器の外観図である。
【図２】同、便器給水装置の構成図である。
【図３】同、バルブユニットの断面図である。
【図４】同、カムシャフト部の断面図である。
【図５】同、ハンドルの外観図である。
【図６】同、ハンドルの操作部断面図である。
【図７】同、回転トルク伝達手段の断面図である。
【図８】同、回転式ワイヤーの構成図である。
【図９】回転式ワイヤーの伝達トルク〜ねじれ角度／単位長さを示すグラフである。
【図１０】カムシャフト回転角度〜ハンドル操作角度を示すグラフである。
【図１１】本発明の調節手段の別実施例である。
【符号の説明】
Ｗ：水洗便器              Ｂ：ボウル              Ｈ：ハンドル
Ｖ：バルブユニット        Ｔ：回転トルク伝達手段  Ｒ：合流室
Ｃ：調節手段              Ｄ：調節手段            Ｅ：調節手段
１：便器本体              ２：内部空間            ３：１次側給水路
４：定流量弁              ５：リム流路            ６：ジェット流路
７：第１開閉弁            ８：第２開閉弁          ９：弁開閉手段
１０：入水路              １１：第１ダイヤフラム  １２：ブリード穴
１３：第１圧力室          １４：第１弁座          １５：第１パイロット弁
１６：パッキン            １７：ピストン部        １８：軸部
１９：第１パイロット弁体  ２０：第１パイロット弁座
２１：バネ                ２２：通孔              ２３：第２ダイヤフラム
２４：ブリード穴          ２６：第２圧力室        ２７：第２パイロット弁
２８：パッキン            ２９：ピストン部        ３０：軸部
３１：第２パイロット弁体  ３２：第２パイロット弁座
３３：バネ                ３４：通孔              ３５：ピストンガイド
３６：隙間                ３７：通路              ３８：第１カム
３９：第２カム            ４０：カムシャフト      ４１：連結軸部
４２：ハンドル本体        ４３：レバー部          ４４：ハンドル軸
４５：穴                  ４６：ハンドルガイド    ４７：ガイド孔
４８：ネジ                ４９：鍔部              ５０：ストッパー部
５１：固定ナット          ５２：スプライン孔      ５３：突起
５４：緩衝材              ５５：緩衝材            ５６：ワイヤー
５７：第１軸部            ５８：第２軸部          ５９：硬質線材
６０：軟質線材            ６１：保護チューブ      ６２：化粧部
６３：かしめ部            ６４：第１係合部        ６５：第１ピストン
６６：第１シリンダー      ６７：第１バネ          ６８：ストッパーネジ
６９：化粧部              ７０：かしめ部          ７１：第２係合部
７２：スプライン軸部      ７３：第２ピストン      ７４：スピンドル軸
７５：第２シリンダー      ７６：第２バネ          ７７：ストッパーネジ
７８：ネジ                ７９：雄ねじ            ８０：かしめ部
８１：ねじ軸              ８２：雌ねじ            ８３：調節軸
８４：ロックナット
【図１】
2004332324.tif 000003
【図２】
2004332324.tif 000004
【図３】
2004332324.tif 000005
【図４】
2004332324.tif 000006
【図５】
2004332324.tif 000007
【図６】
2004332324.tif 000008
【図７】
2004332324.tif 000009
【図８】
2004332324.tif 000010
【図９】
2004332324.tif 000011
【図１０】
2004332324.tif 000012
【図１１】
2004332324.tif 000013